(57)【特許請求の範囲】
【請求項１】
摩擦プレートと、セパレータプレートと、クラッチハブと、前記摩擦プレートおよび前記セパレータプレートを押圧するピストンとを備えるクラッチにおいて、
前記クラッチハブは、前記摩擦プレートまたは前記セパレータプレートの内周部が嵌合されるハブ部と、前記ピストンを移動自在に支持すると共に前記クラッチの２つの接続対象要素の間でトルクを伝達しない筒状のシャフト部と、前記シャフト部と一体に成形されると共に係合油圧が供給される係合油室を前記ピストンと共に画成する係合油室画成部とを含み、
前記ピストンは、前記係合油圧を受圧する受圧部と、前記受圧部の外周部から軸方向に延出されると共に前記係合油室画成部に摺接する内周面を有する筒状の延出部と、前記延出部の遊端部から径方向外側に延出されたプレート押圧部とを有し、
前記ハブ部は、前記２つの接続対象要素の一方に一体に回転するように連結されると共に、前記シャフト部に対して回転しないように該シャフト部に遊嵌され、
前記ピストンの前記受圧部と前記係合油室画成部との一方は、他方に向けて突出する少なくとも１つの突部を有し、前記受圧部と前記係合油室画成部との他方は、前記突部と係合する凹部を有することを特徴とするクラッチ。
【請求項２】
請求項１に記載のクラッチにおいて、
前記係合油室画成部は、前記シャフト部の一端から径方向外側に延在し、
前記ハブ部は、前記２つの接続対象要素の前記一方にスプライン嵌合され、
前記突部は、前記ピストンの前記受圧部に形成され、前記凹部は、前記係合油室画成部に形成されることを特徴とするクラッチ。
【請求項３】
請求項２に記載のクラッチにおいて、
前記ハブ部は、前記摩擦プレートまたは前記セパレータプレートが嵌合される筒状部と、前記筒状部の一端から径方向内側に延びるように該筒状部と一体に成形された環状壁部とを有し、
前記環状壁部の内周部は、前記シャフト部に遊嵌され、
前記環状壁部は、前記内周部よりも径方向外側で該筒状部とは反対側に突出する筒状の突出部を有し、
前記突出部の内周部は、前記２つの接続対象要素の前記一方にスプライン嵌合されることを特徴とするクラッチ。
【請求項４】
請求項１から３の何れか一項に記載のクラッチを含み、入力部材に伝達された動力を変速して出力部材に伝達する変速装置であって、
入力要素と、固定可能要素と、第１出力要素および第２出力要素とを有するラビニヨ式遊星歯車機構と、
複数の回転要素を有する第１遊星歯車と、
複数の回転要素を有し、前記第１遊星歯車よりも前記ラビニヨ式遊星歯車機構に近接して配置される第２遊星歯車と、
前記ラビニヨ式遊星歯車機構の前記固定可能要素を静止部材に接続して回転不能に固定すると共に、両者の接続を解除する第１ブレーキと、
前記ラビニヨ式遊星歯車機構の前記第１出力要素と、前記第１および第２遊星歯車の回転要素の少なくとも何れか１つとを互いに接続すると共に、両者の接続を解除する第１クラッチと、
前記ラビニヨ式遊星歯車機構の前記第２出力要素と、前記第１および第２遊星歯車の回転要素の少なくとも何れか１つとを互いに接続すると共に、両者の接続を解除する第２クラッチとを備え、
前記ラビニヨ式遊星歯車機構は、前記固定可能要素が前記第１ブレーキにより回転不能に固定された際に、前記第２出力要素の回転速度が前記第１出力要素の回転速度よりも高くなるように前記入力要素に伝達された動力を増速して前記第１および第２出力要素に伝達し、
前記クラッチは、前記第２クラッチであり、前記２つの接続対象要素の前記一方は、前記ラビニヨ式遊星歯車機構の前記第２出力要素であることを特徴とする変速装置。
【請求項５】
請求項４に記載の変速装置において、
第３クラッチ、第４クラッチおよび第２ブレーキを更に備え、
前記第１遊星歯車は、第１サンギヤ、第１キャリヤおよび第１リングギヤを有し、
前記第２遊星歯車は、第２サンギヤ、第２キャリヤおよび第２リングギヤを有し、
前記第１遊星歯車の前記第１サンギヤと前記第２遊星歯車の前記第２サンギヤとは、常時連結され、
前記第１遊星歯車の前記第１キャリヤは、前記入力部材および前記ラビニヨ式遊星歯車機構の前記入力要素に常時連結され、
前記第２遊星歯車の前記第２キャリヤは、前記出力部材に常時連結され、
前記第１クラッチは、前記ラビニヨ式遊星歯車機構の前記第１出力要素と、常時連結された前記第１および第２サンギヤとを互いに接続すると共に、両者の接続を解除し、
前記第２クラッチは、前記ラビニヨ式遊星歯車機構の前記第２出力要素と、常時連結された前記第１および第２サンギヤとを互いに接続すると共に、両者の接続を解除し、
前記第３クラッチは、前記ラビニヨ式遊星歯車機構の前記第１出力要素と、前記第２遊星歯車の前記第２リングギヤとを互いに接続すると共に、両者の接続を解除し、
前記第４クラッチは、前記第１遊星歯車の前記第１リングギヤと前記第２遊星歯車の前記第２キャリヤとを互いに接続すると共に、両者の接続を解除し、
前記第２ブレーキは、前記第２遊星歯車の前記第２リングギヤを前記静止部材に接続して回転不能に固定すると共に、両者の接続を解除することを特徴とする変速装置。
【発明の詳細な説明】
【技術分野】
【０００１】
本発明は、摩擦プレート、セパレータプレート、クラッチハブおよびピストンを含むクラッチおよびそれを備えた変速装置に関する。
【背景技術】
【０００２】
従来、この種のクラッチとして、遊星歯車のリングギヤに接合された筒状のクラッチハブを含み、クラッチピストンおよびクラッチ油圧室が当該クラッチハブ若しくはそれに連結された部材に配設されるものが知られている（例えば、特許文献１参照）。このクラッチのクラッチハブは、変速機ケースのボス部の外周面により軸受を介して回転自在に支持されるスリーブ部と、スリーブ部から径方向に延びる拡径部とを有する。また、クラッチピストンは、拡径部に対して遊星歯車とは反対側に配置され、クラッチハブの内周面およびスリーブ部の外周面に摺接する。更に、クラッチハブの内周面およびスリーブ部の外周面との間には、クラッチピストンに対してクラッチハブの拡径部とは反対側に位置するようにシールプレートが配置される。シールプレートは、スリーブ部の内周部の外周面に対して軸方向へ移動不能に係止された内周部と、当該内周部から径方向に拡大する拡径部とを有する。また、シールプレートの拡径部の外周縁部は、クラッチピストンの内周面に対してシールされると共に、シール状態を保持したまま摺接する。そして、クラッチ油圧室（係合油室）は、シールプレートとクラッチピストンとの間に画成され、クラッチピストンとクラッチハブの拡径部との間には、クラッチ油圧室で発生する遠心油圧をキャンセルするための遠心バランス室が画成される。また、クラッチピストンの外周縁部とクラッチハブのリヤ側の端部とは、互いに周方向の複数箇所に形成された櫛歯状の切り欠きを介して、交互に軸方向にオーバーラップするように遊嵌される。これにより、クラッチピストンがクラッチハブに対して回り止めされる。
【先行技術文献】
【特許文献】
【０００３】
【特許文献１】特開２００８−２９１９４７号公報
【発明の概要】
【発明が解決しようとする課題】
【０００４】
しかしながら、上記従来のクラッチでは、シールプレートがクラッチハブまたはクラッチピストンに対して回り止めされていないため、当該シールプレートがクラッチハブおよびクラッチピストンの双方に対して回転してしまい、これらの各部材やシール材が摩耗するおそれもある。
【０００５】
そこで、本発明は、クラッチの大型化を抑制しつつ、当該クラッチの構成部材同士の相対回転を良好に規制して耐久性を向上させることを主目的とする。
【課題を解決するための手段】
【０００６】
本発明によるクラッチは、摩擦プレートと、セパレータプレートと、クラッチハブと、前記摩擦プレートおよび前記セパレータプレートを押圧するピストンとを備えるクラッチにおいて、前記クラッチハブは、前記摩擦プレートまたは前記セパレータプレートの内周部が嵌合されるハブ部と、前記ピストンを移動自在に支持する筒状のシャフト部と、係合油圧が供給される係合油室を前記ピストンと共に画成する係合油室画成部とを含み、前記ピストンは、前記係合油圧を受圧する受圧部と、前記受圧部の外周部から軸方向に延出されると共に前記係合油室画成部に摺接する内周面を有する筒状の延出部と、前記延出部の遊端部から径方向外側に延出されたプレート押圧部とを有し、前記ピストンの前記受圧部と前記係合油室画成部との一方は、他方に向けて突出する少なくとも１つの突部を有し、前記受圧部と前記係合油室画成部との他方は、前記突部と係合する凹部を有することを特徴とする。
【０００７】
このクラッチのクラッチハブは、摩擦プレートまたはセパレータプレートの内周部が嵌合されるハブ部と、ピストンを移動自在に支持する筒状のシャフト部と、係合油圧が供給される係合油室をピストンと共に画成する係合油室画成部とを含む。また、ピストンは、係合油圧を受圧する受圧部と、受圧部の外周部から軸方向に延出されると共に係合油室画成部に摺接する内周面を有する筒状の延出部と、延出部の遊端部から径方向外側に延出されたプレート押圧部とを有する。そして、ピストンの受圧部と係合油室画成部との一方は、他方に向けて突出する少なくとも１つの突部を有し、受圧部と係合油室画成部との他方は、突部と係合する凹部を有する。このように、ピストンの受圧部と係合油室画成部とを互いに係合させることで、クラッチの大型化を抑制しつつ、ピストンとクラッチハブを構成する係合油室画成部との相対回転を良好に規制して耐久性を向上させることが可能となる。
【図面の簡単な説明】
【０００８】
【図１】本発明による変速装置を含む動力伝達装置の概略構成図である。
【図２】図１の変速装置における各変速段とクラッチおよびブレーキの作動状態との関係を示す作動表である。
【図３】図１の変速装置における入力回転速度に対する各回転要素の回転速度の比を示す速度線図である。
【図４】図１の変速装置を示す要部拡大断面図である。
【図５】図１の変速装置を示す要部拡大断面図である。
【図６】図１の変速装置に含まれるクラッチハブのハブ部を示す斜視図である。
【図７】図１の変速装置に含まれるクラッチハブのハブ部を示す正面図である。
【図８】図１の変速装置に含まれるクラッチハブのハブ部を示す背面図である。
【図９】図１の変速装置に適用可能な他のクラッチハブ、ピストンおよび係合油室画成部材を示す断面図である。
【発明を実施するための形態】
【０００９】
次に、図面を参照しながら、本発明を実施するための形態について説明する。
【００１０】
図１は、本発明による変速装置である自動変速機２０を含む動力伝達装置１０の概略構成図である。同図に示す動力伝達装置１０は、後輪駆動車両の前部に縦置きに搭載される駆動源としての図示しないエンジン（内燃機関）のクランクシャフトおよび／または電気モータのロータに接続されると共にエンジン等からの動力（トルク）を図示しない左右の後輪（駆動輪）に伝達可能なものである。図示するように、動力伝達装置１０は、エンジン等から入力軸（入力部材）２０ｉに伝達された動力を変速して出力軸（出力部材）２０ｏに伝達する自動変速機２０に加えて、トランスミッションケース（静止部材）１１や、発進装置（流体伝動装置）１２、オイルポンプ１７等を含む。
【００１１】
発進装置１２は、図示しないドライブプレート等を介してエンジンのクランクシャフトおよび／または電気モータのロータに連結されるフロントカバー１３や、当該フロントカバー１３に密に固定されるポンプシェルを有する入力側のポンプインペラ１４ｐ、自動変速機２０の入力軸２０ｉに連結される出力側のタービンランナ１４ｔ、ポンプインペラ１４ｐおよびタービンランナ１４ｔの内側に配置されてタービンランナ１４ｔからポンプインペラ１４ｐへの作動油の流れを整流するステータ１４ｓ、図示しないステータシャフトにより支持されると共にステータ１４ｓの回転方向を一方向に制限するワンウェイクラッチ１４ｏ等を有するトルクコンバータを含む。
【００１２】
更に、発進装置１２は、エンジンのクランクシャフト等に連結されたフロントカバー１３と自動変速機２０の入力軸２０ｉとを互いに接続すると共に両者の接続を解除するロックアップクラッチ１５と、フロントカバー１３と自動変速機２０の入力軸２０ｉとの間で振動を減衰するダンパ機構１６とを含む。本実施形態において、ロックアップクラッチ１５は、複数の摩擦係合プレート（摩擦プレートおよびセパレータプレート）を有する多板摩擦式油圧クラッチとして構成される。ただし、ロックアップクラッチ１５は、単板摩擦式油圧クラッチであってもよい。また、発進装置１２は、ステータ１４ｓを有さない流体継手を含むものであってもよい。
【００１３】
オイルポンプ１７は、ポンプボディとポンプカバーとを含むポンプアッセンブリ、チェーンまたはギヤ列を介して発進装置１２のポンプインペラ１４ｐに連結された外歯ギヤ（インナーロータ）、当該外歯ギヤに噛合する内歯ギヤ（アウターロータ）等を有するギヤポンプとして構成される。オイルポンプ１７は、エンジンからの動力により駆動され、図示しないオイルパンに貯留されている作動油（ＡＴＦ）を吸引して図示しない油圧制御装置へと圧送する。
【００１４】
自動変速機２０は、１０段変速式の変速機として構成されており、図１に示すように、入力軸２０ｉや図示しないデファレンシャルギヤおよびドライブシャフトを介して左右の後輪に連結される出力軸２０ｏに加えて、自動変速機２０（入力軸２０ｉや出力軸２０ｏ）の軸方向に並べて配設されるシングルピニオン式の第１遊星歯車２１および第２遊星歯車２２、ダブルピニオン式遊星歯車とシングルピニオン式遊星歯車とを組み合わせて構成される複合遊星歯車列としてのラビニヨ式遊星歯車機構２５とを含む。更に、自動変速機２０は、入力軸２０ｉから出力軸２０ｏまでの動力伝達経路を変更するための第１係合要素としてのクラッチＣ１（第１クラッチ）、第２係合要素としてのクラッチＣ２（第２クラッチ）、第３係合要素としてのクラッチＣ３（第３クラッチ）、第４係合要素としてのクラッチＣ４（第４クラッチ）、第５係合要素としてのブレーキＢ１（第１ブレーキ）および第６係合要素としてのブレーキＢ２（第２ブレーキ）を含む。
【００１５】
本実施形態において、第１および第２遊星歯車２１，２２並びにラビニヨ式遊星歯車機構２５は、発進装置１２すなわちエンジン側（図１における左側）から、ラビニヨ式遊星歯車機構２５、第２遊星歯車２２、第１遊星歯車２１、すなわち、ラビニヨ式遊星歯車機構２５を構成するシングルピニオン式遊星歯車、ラビニヨ式遊星歯車機構２５を構成するダブルピニオン式遊星歯車、第２遊星歯車２２、第１遊星歯車２１という順番で並ぶようにトランスミッションケース１１内に配置される。これにより、ラビニヨ式遊星歯車機構２５は、発進装置１２に近接するように車両の前部側に配置される。また、第１遊星歯車２１は、出力軸２０ｏに近接するように車両の後部側に配置される。更に、第２遊星歯車２２は、入力軸２０ｉや出力軸２０ｏ等の軸方向におけるラビニヨ式遊星歯車機構２５と第１遊星歯車２１との間に配置される。
【００１６】
第１遊星歯車２１は、外歯歯車である第１サンギヤ２１ｓと、第１サンギヤ２１ｓと同心円上に配置される内歯歯車である第１リングギヤ２１ｒと、それぞれ第１サンギヤ２１ｓおよび第１リングギヤ２１ｒに噛合する複数の第１ピニオンギヤ２１ｐと、複数の第１ピニオンギヤ２１ｐを自転（回転）自在かつ公転自在に保持する第１キャリヤ２１ｃとを有する。本実施形態において、第１遊星歯車２１のギヤ比λ１（第１サンギヤ２１ｓの歯数／第１リングギヤ２１ｒの歯数）は、例えば、λ１＝０．２７７と定められている。
【００１７】
第１遊星歯車２１の第１キャリヤ２１ｃは、図１に示すように、入力軸２０ｉに連結された自動変速機２０の中間軸（インターミディエイトシャフト）２０ｍに常時連結（固定）される。これにより、エンジンから入力軸２０ｉに動力が伝達されている際、第１キャリヤ２１ｃには、エンジンからの動力が入力軸２０ｉおよび中間軸２０ｍを介して常時伝達される。また、第１キャリヤ２１ｃは、クラッチＣ４の係合時に第１遊星歯車２１の入力要素として機能し、クラッチＣ４の解放時には空転する。更に、第１リングギヤ２１ｒは、クラッチＣ４の係合時に当該第１遊星歯車２１の出力要素として機能する。
【００１８】
第２遊星歯車２２は、外歯歯車である第２サンギヤ２２ｓと、第２サンギヤ２２ｓと同心円上に配置される内歯歯車である第２リングギヤ２２ｒと、それぞれ第２サンギヤ２２ｓおよび第２リングギヤ２２ｒに噛合する複数の第２ピニオンギヤ２２ｐと、複数の第２ピニオンギヤ２２ｐを自転（回転）自在かつ公転自在に保持する第２キャリヤ（プラネタリキャリヤ）２２ｃとを有する。本実施形態において、第２遊星歯車２２のギヤ比λ２（第２サンギヤ２２ｓの歯数／第２リングギヤ２２ｒの歯数）は、例えば、λ２＝０．２４４と定められている。
【００１９】
第２遊星歯車２２の第２サンギヤ２２ｓは、図１に示すように、第１遊星歯車２１の第１サンギヤ２１ｓと一体化（常時連結）されており、当該第１サンギヤ２１ｓと常時一体（かつ同軸）に回転または停止する。ただし、第１サンギヤ２１ｓと第２サンギヤ２２ｓとは、別体に構成されると共に図示しない連結部材（第１連結部材）を介して常時連結されてもよい。また、第２遊星歯車２２の第２キャリヤ２２ｃは、出力軸２０ｏに常時連結されており、当該出力軸２０ｏと常時一体（かつ同軸）に回転または停止する。これにより、第２キャリヤ２２ｃは、第２遊星歯車２２の出力要素として機能する。更に、第２遊星歯車２２の第２リングギヤ２２ｒは、当該第２遊星歯車２２の固定可能要素として機能する。
【００２０】
ラビニヨ式遊星歯車機構２５は、外歯歯車である第３サンギヤ２３ｓおよび第４サンギヤ２４ｓと、第３サンギヤ２３ｓと同心円上に配置される内歯歯車である第３リングギヤ２３ｒと、第３サンギヤ２３ｓに噛合する複数の第３ピニオンギヤ（ショートピニオンギヤ）２３ｐと、第４サンギヤ２４ｓおよび複数の第３ピニオンギヤ２３ｐに噛合すると共に第３リングギヤ２３ｒに噛合する複数の第４ピニオンギヤ（ロングピニオンギヤ）２４ｐと、複数の第３ピニオンギヤ２３ｐおよび複数の第４ピニオンギヤ２４ｐを自転自在（回転自在）かつ公転自在に保持する第３キャリヤ２３ｃとを有する。
【００２１】
このようなラビニヨ式遊星歯車機構２５は、ダブルピニオン式遊星歯車（第３遊星歯車）とシングルピニオン式遊星歯車（第４遊星歯車）とを組み合わせて構成される複合遊星歯車列である。すなわち、ラビニヨ式遊星歯車機構２５の第３サンギヤ２３ｓ、第３キャリヤ２３ｃ、第３および第４ピニオンギヤ２３ｐ，２４ｐ、並びに第３リングギヤ２３ｒは、ダブルピニオン式の第３遊星歯車を構成する。更に、ラビニヨ式遊星歯車機構２５の第４サンギヤ２４ｓ、第３キャリヤ２３ｃ、第４ピニオンギヤ２４ｐ、および第３リングギヤ２３ｒは、シングルピニオン式の第４遊星歯車を構成する。そして、本実施形態において、ラビニヨ式遊星歯車機構２５は、ダブルピニオン式の第３遊星歯車のギヤ比λ３（第３サンギヤ２３ｓの歯数／第３リングギヤ２３ｒの歯数）が、例えば、λ３＝０．４８８となり、かつシングルピニオン式の第４遊星歯車のギヤ比λ４（第４サンギヤ２４ｓの歯数／第３リングギヤ２３ｒの歯数）が、例えば、λ４＝０．５８１となるように構成される。
【００２２】
また、ラビニヨ式遊星歯車機構２５（第３および第４遊星歯車）を構成する回転要素のうち、第４サンギヤ２４ｓは、ラビニヨ式遊星歯車機構２５の固定可能要素（自動変速機２０の第２固定可能要素）として機能する。更に、第３キャリヤ２３ｃは、図１に示すように、入力軸２０ｉに常時連結（固定）されると共に、連結部材（第２連結部材）としての中間軸２０ｍを介して第１遊星歯車２１の第１キャリヤ２１ｃに常時連結される。これにより、エンジンから入力軸２０ｉに動力が伝達されている際、第３キャリヤ２３ｃには、エンジンからの動力が入力軸２０ｉを介して常時伝達されることになる。従って、第３キャリヤ２３ｃは、ラビニヨ式遊星歯車機構２５の入力要素として機能する。また、第３リングギヤ２３ｒは、ラビニヨ式遊星歯車機構２５の第１出力要素として機能し、第３サンギヤ２３ｓは、当該ラビニヨ式遊星歯車機構２５の第２出力要素として機能する。
【００２３】
クラッチＣ１は、常時連結された第１遊星歯車２１の第１サンギヤ２１ｓおよび第２遊星歯車２２の第２サンギヤ２２ｓとラビニヨ式遊星歯車機構２５の第１出力要素である第３リングギヤ２３ｒとを互いに接続すると共に両者の接続を解除するものである。クラッチＣ２は、常時連結された第１遊星歯車２１の第１サンギヤ２１ｓおよび第２遊星歯車２２の第２サンギヤ２２ｓとラビニヨ式遊星歯車機構２５の第２出力要素である第３サンギヤ２３ｓとを互いに接続すると共に両者の接続を解除するものである。クラッチＣ３は、第２遊星歯車２２の第２リングギヤ２２ｒとラビニヨ式遊星歯車機構２５の第１出力要素である第３リングギヤ２３ｒとを互いに接続すると共に両者の接続を解除するものである。クラッチＣ４は、第１遊星歯車２１の出力要素である第１リングギヤ２１ｒと出力軸２０ｏとを互いに接続すると共に両者の接続を解除するものである。
【００２４】
ブレーキＢ１は、ラビニヨ式遊星歯車機構２５の固定可能要素である第４サンギヤ２４ｓを静止部材としてのトランスミッションケース１１に対して回転不能に固定（接続）すると共に当該第４サンギヤ２４ｓをトランスミッションケース１１に対して回転自在に解放するものである。ブレーキＢ２は、第２遊星歯車２２の固定可能要素である第２リングギヤ２２ｒをトランスミッションケース１１に対して回転不能に固定（接続）すると共に当該第２リングギヤ２２ｒを静止部材としてのトランスミッションケース１１に対して回転自在に解放するものである。
【００２５】
本実施形態では、クラッチＣ１〜Ｃ４として、ピストン、複数の摩擦係合プレート（摩擦プレートおよびセパレータプレート）、それぞれ作動油が供給される係合油室および遠心油圧キャンセル室等により構成される油圧サーボを有する多板摩擦式油圧クラッチ（摩擦係合要素）が採用される。また、ブレーキＢ１およびＢ２としては、ピストン、複数の摩擦係合プレート（摩擦プレートおよびセパレータプレート）、作動油が供給される係合油室等により構成される油圧サーボを有する多板摩擦式油圧ブレーキが採用される。そして、クラッチＣ１〜Ｃ４、ブレーキＢ１およびＢ２は、油圧制御装置により作動油が給排されることで動作する。
【００２６】
図２に自動変速機２０の各変速段とクラッチＣ１〜Ｃ４、ブレーキＢ１およびＢ２の作動状態との関係を表した作動表を示し、図３に自動変速機２０における入力軸２０ｉの回転速度（入力回転速度）に対する各回転要素の回転速度の比を示す速度線図を示す。自動変速機２０は、クラッチＣ１〜Ｃ４、ブレーキＢ１およびＢ２を図２の作動表に示す状態とすることで、第１速段から第１０速段までの前進段と後進段とを提供する。
【００２７】
また、第１および第２遊星歯車２１，２２並びにラビニヨ式遊星歯車機構２５の１０個の回転要素（ただし、第１サンギヤ２１ｓと第２サンギヤ２２ｓとが常時連結されているので、実質的には合計９個の回転要素）は、これらのギヤ比λ１，λ２，λ３，λ４に応じた間隔をおいて図３における左側から図示される順番で並ぶ。このような速度線図上での並び順に従い、本実施形態では、第１サンギヤ２１ｓを自動変速機２０の第１回転要素とし、第１キャリヤ２１ｃを自動変速機２０の第２回転要素とし、第１リングギヤ２１ｒを自動変速機２０の第３回転要素とする。また、第２サンギヤ２２ｓを自動変速機２０の第４回転要素とし、第２キャリヤ２２ｃを自動変速機２０の第５回転要素とし、第２リングギヤ２２ｒを自動変速機２０の第４回転要素とする。更に、第４サンギヤ２４ｓを自動変速機２０の第７回転要素とし、第３キャリヤ２３ｃを自動変速機２０の第８回転要素とし、第３リングギヤ２３ｒを自動変速機２０の第９回転要素とし、第３サンギヤ２３ｓを自動変速機２０の第１０回転要素とする。
【００２８】
なお、第１および第２遊星歯車２１，２２並びに第３および第４遊星歯車のギヤ比λ１〜λ４は、上述のものに限られない。また、自動変速機２０において、クラッチＣ１〜Ｃ４、ブレーキＢ１およびＢ２の少なくとも何れかは、ドグクラッチあるいはドグブレーキといった噛み合い係合要素とされてもよい。例えば、自動変速機２０では、前進第１速段から前進第４速段の形成に際して連続して係合されると共に、後進段の形成に際して係合されるブレーキＢ２として、ドグブレーキが採用されてもよい。更に、自動変速機２０において、第１および第２遊星歯車２１，２２の少なくとも何れかは、ダブルピニオン式の遊星歯車であってもよく、ラビニヨ式遊星歯車機構２５は、例えばシンプソン型やＣＲ−ＣＲ型といった複合遊星歯車列に置き換えられてもよい。また、上述の自動変速機２０は、前輪駆動車両に搭載される変速機に改変されてもよい。
【００２９】
続いて、図４から図８を参照しながら、自動変速機２０の具体的構成について詳細に説明する。
【００３０】
図４および図５は、自動変速機２０を示す要部拡大断面図である。これらの図面は、自動変速機２０に含まれるクラッチＣ１およびＣ２の周辺の構成を示すものである。本実施形態において、クラッチＣ１は、第２遊星歯車２２に近接するように当該第２遊星歯車２２とラビニヨ式遊星歯車機構２５との間に配置される。また、クラッチＣ２は、クラッチＣ１の構成部材により少なくとも一部が囲まれると共にラビニヨ式遊星歯車機構２５（第３遊星歯車）に近接するように第２遊星歯車２２とラビニヨ式遊星歯車機構２５との間に配置される。
【００３１】
クラッチＣ１およびＣ２は、上述のように、第１遊星歯車２１の第１サンギヤ２１ｓおよび第２遊星歯車２２の第２サンギヤ２２ｓを共通の接続対象要素とする。このため、クラッチＣ１およびＣ２は、図４および図５に示すように、第１サンギヤ２１ｓおよび第２遊星歯車２２の第２サンギヤ２２ｓに常時連結（固定）されると共にクラッチＣ１のクラッチハブおよびクラッチＣ２のクラッチドラムとして機能するドラム部材１２０を共用する。また、クラッチＣ１は、上述のように、クラッチＣ３と同様にラビニヨ式遊星歯車機構２５の第３リングギヤ２３ｒを共通の接続対象要素とする。このため、クラッチＣ１およびＣ３は、第３リングギヤ２３ｒに常時連結（固定）されると共にクラッチＣ１のクラッチドラムおよびクラッチＣ３のクラッチハブとして機能するドラム部材１３０を共用する。
【００３２】
ドラム部材１２０は、クラッチＣ１およびＣ２により共用される筒状部１２１と、筒状部１２１の内周面から径方向内側に延出された環状部１２２とを含む。筒状部１２１の第２遊星歯車２２側（図３および図４における右側）の半部の外周面には、スプライン１２１ａが形成されており、筒状部１２１のラビニヨ式遊星歯車機構２５側（図３および図４における左側）の半部の内周面には、スプライン１２１ｂが形成されている。また、環状部１２２の内周部は、連結部材１２５に溶接され、ドラム部材１２０は、当該連結部材１２５を介して、クラッチＣ１およびＣ２の接続対象要素である第１遊星歯車２１の第１サンギヤ２１ｓおよび第２遊星歯車２２の第２サンギヤ２２ｓに常時連結（固定）される。
【００３３】
ドラム部材１３０は、クラッチＣ１により利用されるドラム部１３１と、ドラム部１３１から径方向内側に延出された環状壁部１３２と、クラッチＣ３により利用される図示しないハブ部と、筒状の支持部１３５とを含む。本実施形態において、ドラム部１３１、環状壁部１３２、ハブ部および支持部１３５は、例えばアルミニウム合金等を鋳造することにより一体に成形される。ドラム部１３１は、クラッチＣ１およびＣ３の接続対象要素であるラビニヨ式遊星歯車機構２５の第３リングギヤ２３ｒに常時連結（固定）される開口側端部（図４および図５における左端部）を有する。また、ドラム部１３１の内周面には、スプライン１３１ａ（図５参照）が形成されており、ドラム部１３１（円筒部）の外周面は、凹凸を有さない円柱面状に形成されている。これにより、ドラム部１３１の厚みを大きくすることなく、その強度を確保することが可能となる。
【００３４】
ドラム部材１３０のハブ部は、環状壁部１３２からドラム部１３１の開口側端部とは反対側（図４および図５における右側）に延出され、本実施形態では、ドラム部１３１よりも小さい外径を有する筒状に形成されている。また、ハブ部の外周面には、スプラインが形成されており、当該ハブ部の内周面は、凹凸を有さない凹円柱面状に形成されている。これにより、ハブ部の厚みを大きくすることなく、その強度を確保することが可能となる。支持部１３５は、本実施形態において、環状壁部１３２の内周部から第２遊星歯車２２およびラビニヨ式遊星歯車機構２５側に軸方向に延出され、ブッシュあるいはラジアル軸受等を介して上記連結部材１２５の外周面により回転自在に支持される。
【００３５】
上述のドラム部材１２０，１３０を構成部材とするクラッチＣ１は、当該ドラム部材１２０，１３０に加えて、複数の摩擦プレート（摩擦係合プレート）１０１と、摩擦プレート１０１と交互に配設される複数のセパレータプレート（摩擦係合プレート）１０２およびバッキングプレートと、摩擦プレート１０１およびセパレータプレート１０２を押圧して摩擦係合させるピストン１４０と、ピストン１４０を摩擦プレート１０１およびセパレータプレート１０２から離間するように付勢する複数のリターンスプリング（コイルバネ）ＳＰ１と、環状のキャンセルプレート（キャンセル室画成部材）１７０とを含む。
【００３６】
クラッチＣ１の複数の摩擦プレート１０１（それぞれの内周部）は、ドラム部材１３０のドラム部１３１によって包囲されるドラム部材１２０の筒状部１２１のスプライン１２１ａに嵌合される。これにより、複数の摩擦プレート１０１は、筒状部１２１と一体に回転すると共に軸方向に移動可能となるようにクラッチハブとして機能するドラム部材１２０により支持される。また、クラッチＣ１の複数のセパレータプレート１０２（それぞれの外周部）は、ドラム部材１３０のドラム部１３１の内周面に形成されたスプライン１３１ａに嵌合される。これにより、複数のセパレータプレート１０２は、ドラム部１３１と一体に回転すると共に軸方向に移動可能となるようにクラッチドラムとして機能するドラム部材１３０により支持される。
【００３７】
ピストン１４０は、ドラム部材１３０の環状壁部１３２とドラム部材１２０の筒状部１２１との軸方向における間に配置され、ドラム部材１３０と一体に回転すると共に軸方向に移動自在となるように当該ドラム部材１３０の支持部１３５により支持される。図４および図５に示すように、ピストン１４０は、ドラム部材１３０の環状壁部１３２および支持部１３５と共にクラッチＣ１の係合油室（第１係合油室）１５０を画成する。また、キャンセルプレート１７０は、ピストン１４０とドラム部材１２０の環状部１２２との軸方向における間、すなわちピストン１４０に対してドラム部材１３０の環状壁部１３２とは反対側に配置され、スナップリングを用いて当該支持部１３５に固定される。図４および図５に示すように、キャンセルプレート１７０は、ピストン１４０および支持部１３５と共に係合油室１５０内で発生する遠心油圧をキャンセルするための遠心油圧キャンセル室（第１遠心油圧キャンセル室）１９０を画成する。これにより、クラッチＣ１の係合油室１５０および遠心油圧キャンセル室１９０は、ラビニヨ式遊星歯車機構２５の第３リングギヤ２３ｒ（第１出力要素）と一体に回転するドラム部材１３０、ピストン１４０およびキャンセルプレート１７０により画成される。
【００３８】
クラッチＣ１の係合油室１５０には、入力軸２０ｉや連結部材１２５、ドラム部材１３０の支持部１３５等に形成された油路を介して油圧制御装置により調圧されたクラッチＣ１への係合油圧（作動油）が供給される。また、遠心油圧キャンセル室１９０には、入力軸２０ｉや連結部材１２５、ドラム部材１３０の支持部１３５等に形成された油路を介して油圧制御装置からの作動油（例えば、潤滑・冷却用のドレン油）が供給される。複数のリターンスプリングＳＰ１は、ピストン１４０とキャンセルプレート１７０との間に位置するように遠心油圧キャンセル室１９０の内部に周方向に間隔をおいて配設される。なお、クラッチＣ１のリターンスプリングＳＰ１として、複数のコイルバネの代わりに単一の板バネが用いられてもよい。
【００３９】
上述のドラム部材１２０を構成部材とするクラッチＣ２は、当該ドラム部材１２０に加えて、ラビニヨ式遊星歯車機構２５の第３サンギヤ２３ｓから常時連結された第１および第２サンギヤ２１ｓ，２２ｓ（他の回転要素）に動力を伝達する動力伝達部材としてのクラッチハブ２００と、複数の摩擦プレート（第１摩擦係合プレート）２０１と、複数のセパレータプレート２０２（第２摩擦係合プレート）およびバッキングプレートと、摩擦プレート２０１およびセパレータプレート２０２を押圧して摩擦係合させるピストン２４０と、キャンセル室画成部材２７０と、ピストン２４０を摩擦プレート２０１およびセパレータプレート２０２から離間するように付勢する複数のリターンスプリング（コイルバネ）ＳＰ２とを含む。
【００４０】
クラッチハブ２００は、図４および図５に示すように、複数のセパレータプレート２０２およびバッキングプレートの内周部が嵌合されるハブ部材（ハブ部）２１０と、ピストン２４０を支持する支持部材２２０とを含む。ハブ部材２１０は、例えばアルミニウム合金等により形成されており、筒状部２１１と、筒状部２１１の一端（図４および図５における左端）から径方向内側に延びる環状壁部２１２とを有する。すなわち、筒状部２１１と環状壁部２１２とは、アルミニウム合金等を鋳造することにより一体に成形される。また、支持部材２２０は、鉄合金等により形成されており、筒状のシャフト部２２１と、当該シャフト部２２１の一端から径方向外側に延びる環状の係合油室画成部２２２とを有する。すなわち、シャフト部２２１と係合油室画成部２２２とは、鉄合金等を鍛造することにより一体に成形される。図４および図５に示すように、クラッチハブ２００の支持部材２２０（シャフト部２２１）は、ラジアル軸受を介して入力軸２０ｉにより同軸かつ回転自在に支持される。
【００４１】
ハブ部材２１０の筒状部２１１は、図６および図８に示すように、外周面に形成されたスプライン２１１ｓと、それぞれ当該筒状部２１１すなわちスプライン２１１ｓの歯先部を径方向に貫通する複数の油孔２１１ｈとを有する。なお、複数の油孔２１１ｈのうち、筒状部２１１の両端側に位置する一部は、図４および図５に示すように、筒状部２１１の径方向に対して若干傾斜するように形成される。ハブ部材２１０の環状壁部２１２は、支持部材２２０のシャフト部２２１に緩くスプライン嵌合（遊嵌）される内周部２１３を有する。すなわち、内周部２１３の内周面には、図６から図８に示すように、スプライン２１３ｓが形成されており、当該スプライン２１３ｓは、シャフト部２２１の先端部（遊端部）の外周面に形成されたスプライン２２１ｓ（図４参照）に緩く嵌合される。内周部２１３のスプライン２１３ｓと、シャフト部２２１のスプライン２２１ｓとは、内側スプライン嵌合部ＳＬｉを構成する。
【００４２】
更に、環状壁部２１２は、筒状部２１１よりも径方向内側かつ内周部２１３よりも径方向外側で筒状部２１１とは反対側（図４および図５における左側、すなわちラビニヨ式遊星歯車機構２５側）に突出する筒状の突出部２１４を有する。突出部２１４の軸長は、図４および図５に示すように、環状壁部２１２の内周部２１３の軸長よりも長く定められており、突出部２１４の内周面には、図６および図７に示すように、スプライン２１４ｓが形成されている。突出部２１４のスプライン２１４ｓは、ラビニヨ式遊星歯車機構２５の第３サンギヤ２３ｓ（第２出力要素）から軸方向に延出された軸部２３ｓａの外周面に形成されたスプラインに嵌合される。突出部２１４のスプライン２１４ｓと、第３サンギヤ２３ｓのスプラインとは、外側スプライン嵌合部ＳＬｏを構成する。
【００４３】
突出部２１４は、上述のように、環状壁部２１２の内周部２１３よりも径方向外側に位置する。従って、ハブ部材２１０と第３サンギヤ２３ｓとの嵌合部である外側スプライン嵌合部ＳＬｏは、ハブ部材２１０とシャフト部２２１（支持部材２２０）との嵌合部である内側スプライン嵌合部ＳＬｉよりも径方向外側に位置することになる。また、環状壁部２１２の内周部２１３は、上述のように、突出部２１４の軸長よりも短い軸長を有する。従って、内側スプライン嵌合部ＳＬｉの軸方向における長さは、外側スプライン嵌合部ＳＬｏの軸方向における長さよりも短くなる。
【００４４】
本実施形態において、外側スプライン嵌合部ＳＬｏの周方向におけるクリアランス、すなわち、突出部２１４のスプライン２１４ｓの歯面と、軸部２３ｓａのスプラインの歯面との周方向におけるクリアランスは、極小さく定められている。これにより、突出部２１４の内周部は、クラッチＣ２の接続対象要素である第３サンギヤ２３ｓと一体に回転するように軸部２３ｓａにきつくスプライン嵌合される。これに対して、内側スプライン嵌合部ＳＬｉの周方向におけるクリアランス、すなわち、内周部２１３のスプライン２１３ｓの歯面と、シャフト部２２１のスプライン２２１ｓの歯面との周方向におけるクリアランスは、外側スプライン嵌合部ＳＬｏの周方向におけるクリアランスより大きく定められている。これにより、支持部材２２０のシャフト部２２１に対して回転しないように当該シャフト部２２１に遊嵌される。すなわち、互いに一体に成形されたシャフト部２２１および係合油室画成部２２２を有する支持部材２２０は、内側スプライン嵌合部ＳＬｉによりハブ部材２１０に対して回り止めされる。
【００４５】
また、第３サンギヤ２３ｓにスプライン嵌合されるハブ部材２１０の突出部２１４は、図４および図５に示すように、ラビニヨ式遊星歯車機構２５の第３キャリヤ２３ｃの一部、すなわち第３ピニオンギヤ２３ｐや第４ピニオンギヤ２４ｐに挿通されるピニオンシャフト２６の端部を支持するシャフト支持部２３ｃｓの径方向内側に位置する。図示するように、第３キャリヤ２３ｃのシャフト支持部２３ｃｓの内周面には、各ピニオンシャフト２６の内部に形成された軸方向油路（シャフト内油路）２６ａと連通するように集油部（凹部）２３ｃａが形成されている。突出部２１４は、当該集油部２３ｃａにより包囲される。なお、集油部２３ｃａは、必ずしも第３キャリヤ２３ｃ（シャフト支持部２３ｃｓ）に形成される必要はなく、第３キャリヤ２３ｃに装着されるオイルレシーバに形成されてもよい。
【００４６】
そして、ハブ部材２１０の突出部２１４には、図６および図７に示すように、複数の隆起部２１４ｐが周方向に間隔をおいて（等間隔に）形成されている。各隆起部２１４ｐは、突出部２１４の外周面よりも第３キャリヤ２３ｃのシャフト支持部２３ｃｓに形成された集油部２３ｃａ側に突出しており、概ね平坦な頂面２１４ｐｓを有する。更に、突出部２１４には、それぞれ対応する隆起部２１４ｐ（突出部２１４）を貫通して当該隆起部２１４ｐの頂面２１４ｐｓで開口する複数（本実施形態では、例えば４個）の油孔２１４ｈが周方向に間隔をおいて（等間隔に）形成されている。すなわち、各油孔２１４ｈの径方向外側（第３キャリヤ２３ｃ側）の開口は、隆起部２１４ｐにより取り囲まれる。また、各油孔２１４ｈは、図４および図５に示すように、突出部２１４の内周面から径方向外側に向かうにつれて第３キャリヤ２３ｃの集油部２３ｃａ（ラビニヨ式遊星歯車機構２５）に近接するように傾斜する。
【００４７】
クラッチＣ２の接続対象要素である第３サンギヤ２３ｓは、図５に示すように、ギヤ部および軸部２３ｓａを軸方向に貫通する中心孔部２３ｓｃを有しており、当該中心孔部２３ｓｃには、突出部２１４の内周面よりも径方向内側で支持部材２２０のシャフト部２２１の先端部がインロー嵌合される。これにより、クラッチＣ２の接続対象要素である第３サンギヤ２３ｓをクラッチハブ２００のシャフト部２２１により入力軸２０ｉに対して調心することが可能となる。更に、シャフト部２２１の先端部には、支持部材２２０に対するハブ部材２１０の軸方向における移動を規制するスナップリング２１６が装着され、当該スナップリング２１６とハブ部材２１０の内周部２１３との間には、鉄合金製の環状板体であるスペーサ２１７が介設される。図示するように、スナップリング２１６の外周面は、第３サンギヤ２３ｓの内周面により径方向外側から支持され、それにより、スナップリング２１６が径方向に拡張するのを抑制することが可能となる。
【００４８】
また、図４および図５に示すように、スペーサ２１７（内周部２１３）と第３サンギヤ２３ｓの軸部２３ｓａの端面とは、間隔をおいて対向し、スペーサ２１７と第３サンギヤ２３ｓの軸部２３ｓａの端面との間の空間は、突出部２１４の各油孔２１４ｈと連通する。更に、第３サンギヤ２３ｓの軸部２３ｓａには、スペーサ２１７と第３サンギヤ２３ｓの軸部２３ｓａの端面との間の空間と、中心孔部２３ｓｃの内側とを連通させる複数の油溝２３ｓｇが形成されている。そして、第３サンギヤ２３ｓの各油溝２３ｓｇには、入力軸２０ｉに形成された油孔２０ｉｈ等を介して油圧制御装置からの作動油（例えば、潤滑・冷却用のドレン油）が供給される。
【００４９】
これにより、第３サンギヤ２３ｓおよびクラッチハブ２００が一体に回転すると、入力軸２０ｉの油孔２０ｉｈ、第３サンギヤ２３ｓの油溝２３ｓｇ、スペーサ２１７と第３サンギヤ２３ｓの軸部２３ｓａの端面との間の空間、および突出部２１４の各油孔２１４ｈを介して、第３キャリヤ２３ｃの集油部２３ｃａに潤滑・冷却媒体としての作動油が遠心力により供給される。集油部２３ｃａにより捕集された作動油は、遠心力により各ピニオンシャフト２６の軸方向油路２６ａに流入し、当該軸方向油路２６ａと連通する径方向油路（シャフト内油路）２６ｂを介して第３および第４ピニオンギヤ２３ｐ，２４ｐを支持するニードルベアリングに供給される。
【００５０】
クラッチＣ２の複数の摩擦プレート２０１（それぞれの内周部）は、上記ドラム部材１２０の筒状部１２１のラビニヨ式遊星歯車機構２５側（図３および図４における左側）の半部に形成されたスプライン１２１ｂに嵌合される。これにより、複数の摩擦プレート２０１は、筒状部１２１と一体に回転すると共に軸方向に移動可能となるようにクラッチドラムとして機能するドラム部材１２０により支持される。また、クラッチＣ２の複数のセパレータプレート２０２およびバッキングプレート（それぞれの外周部）は、クラッチハブ２００の筒状部２１１の外周面に形成されたスプライン２１１ｓ（図６および図８参照）に嵌合される。これにより、複数のセパレータプレート２０２は、筒状部２１１と一体に回転すると共に軸方向に移動可能となるようにクラッチハブ２００により支持される。
【００５１】
クラッチＣ２のピストン２４０は、図４および図５に示すように、支持部材２２０のシャフト部２２１により軸方向に移動自在に支持される受圧部２４１と、受圧部２４１の外周部から軸方向に延出される筒状の延出部２４２と、ラビニヨ式遊星歯車機構２５から最も離間したセパレータプレート２０２と当接するように延出部２４２の遊端部から径方向外側に延出されたプレート押圧部２４３とを有する。ピストン２４０は、受圧部２４１がシャフト部２２１のスプライン２２１ｓよりも係合油室画成部２２２側に位置するように当該シャフト部２２１に軸方向に移動自在となるように嵌合され、ドラム部材１２０の筒状部１２１によって包囲される。
【００５２】
ピストン２４０の延出部２４２の内周面は、係合油室画成部２２２の外周面に摺接し、延出部２４２の内周面と係合油室画成部２２２の外周面との間には、シール部材２２３が配置される。これにより、ピストン２４０の受圧部２４１、延出部２４２および支持部材２２０の係合油室画成部２２２とによりクラッチＣ２の係合油室２５０が画成される。係合油室２５０には、入力軸２０ｉやシャフト部２２１等に形成された油路を介して油圧制御装置により調圧されたクラッチＣ２への係合油圧（作動油）が供給され、ピストン２４０の受圧部２４１は、当該係合油圧を受圧する。
【００５３】
また、ピストン２４０の受圧部２４１には、係合油室画成部２２２に向けて突出する複数の突部２４１ｐが周方向に間隔をおいて（本実施形態では、１８０°間隔で２個）形成されている。更に、係合油室画成部２２２には、複数の凹部２２２ｒが周方向に間隔をおいて（本実施形態では、１８０°間隔で２個）形成されている。ピストン２４０の各突部２４１ｐは、係合油室画成部２２２の対応する凹部２２２ｒに遊嵌される。このように、突部２４１ｐと凹部２２２ｒとを係合させることで、ピストン２４０を係合油室画成部２２２すなわち支持部材２２０に対して回り止めすると共に、当該支持部材２２０（シャフト部２２１および係合油室画成部２２２）を介してハブ部材２１０に対して回り止めすることが可能となる。なお、突部２４１ｐおよび凹部２２２ｒは、ピストン２４０または係合油室画成部２２２に少なくとも１個設けられればよく、３個以上設けられてもよい。また、係合油室画成部２２２に少なくとも１個の突部が設けられてもよく、ピストン２４０に当該突部と係合する凹部が設けられてもよい。
【００５４】
クラッチＣ２のキャンセル室画成部材２７０は、ハブ部材２１０の筒状部２１１内に嵌合され、係合油室２５０内で発生する遠心油圧をキャンセルするための遠心油圧キャンセル室２９０をピストン２４０と共に画成する。これにより、自動変速機２０において、クラッチＣ２の係合油室２５０および遠心油圧キャンセル室２９０は、ラビニヨ式遊星歯車機構２５の第３サンギヤ２３ｓ（第２出力要素）と一体に回転するクラッチハブ２００、ピストン２４０およびキャンセル室画成部材２７０によって筒状部２１１の内側に画成される。遠心油圧キャンセル室２９０には、入力軸２０ｉやシャフト部２２１等に形成された油路を介して油圧制御装置からの作動油（例えば、潤滑・冷却用のドレン油）が供給される。
【００５５】
キャンセル室画成部材２７０は、図４および図５に示すように、ハブ部材２１０の筒状部２１１内に嵌合される円筒状のスリーブ部２７１と、スリーブ部２７１の一端（図４および図５における左端）から径方向内側に延出されると共にハブ部材２１０の環状壁部２１２の表面に沿って延びる環状のフランジ部２７２とを有する。スリーブ部２７１の内周面は、ピストン２４０の延出部２４２の外周面に摺接し、スリーブ部２７１の内周面と延出部２４２の外周面との間には、シール部材２４４が配置される。更に、フランジ部２７２とピストン２４０の受圧部２４１との間には、複数のリターンスプリングＳＰ２が周方向に並ぶように配設される。各リターンスプリングＳＰ２の一端（図４および図５における右端）は、ピストン２４０の受圧部２４１に形成された複数のスプリング保持凹部の対応する何れかに嵌合され、各リターンスプリングＳＰ２の他端は、キャンセル室画成部材２７０により支持されるスプリングシートにより保持される。これにより、専用の固定部品等を用いることなく、キャンセル室画成部材２７０を複数のリターンスプリングＳＰ２によりハブ部材２１０に押し付けてクラッチハブ２００に対して固定することが可能となる。なお、クラッチＣ２のリターンスプリングＳＰ２として、複数のコイルバネの代わりに単一の板バネが用いられてもよい。
【００５６】
また、ハブ部材２１０の筒状部２１１の内周面は、凹円柱面状に形成されており、当該筒状部２１１の遊端部の内周面には、径方向内側に突出すると共にキャンセル室画成部材２７０のスリーブ部２７１の外周面に全周にわたって当接する環状突部２１１ａが形成されている。更に、ハブ部材２１０の環状壁部２１２には、キャンセル室画成部材２７０のフランジ部２７２に当接する複数の円弧状の突部２１２ｐがそれぞれリターンスプリングＳＰ２と対向するように周方向に間隔をおいて（本実施形態では、等間隔に５個）形成されている。また、キャンセル室画成部材２７０のフランジ部２７２の内周部には、環状壁部２１２に向けて突出して当該環状壁部２１２の表面と当接する複数の当接部２７２ｃ（図４参照）が周方向に間隔をおいて形成されている。
【００５７】
これにより、キャンセル室画成部材２７０は、複数のリターンスプリングＳＰ２によりハブ部材２１０に押し付けられることで、筒状部２１１の内周面および環状壁部２１２のピストン２４０側の表面と共に潤滑油室２７５を画成する。すなわち、筒状部２１１の内周面とスリーブ部２７１の外周面との間には、一端（図４および図５における右端）が環状突部２１１ａにより閉鎖された環状の空間（油溜め）が画成される。また、突部２１２ｐと当接したフランジ部２７２の表面と環状壁部２１２の表面との間には、当該環状の空間に連通する空間と、互いに隣り合う突部２１２ｐの間に延在する複数の連通路が画成される。更に、フランジ部２７２の互いに隣り合う当接部２７２ｃの間には、図４および図５に示すように、複数の連通口２７３が形成される。
【００５８】
この結果、潤滑油室２７５は、筒状部２１１の内周面および環状壁部２１２の表面に沿って延びると共に、複数の連通口２７３を介して支持部材２２０のシャフト部２２１側、すなわちクラッチハブ２００の内周側で遠心油圧キャンセル室２９０と連通する。また、潤滑油室２７５は、筒状部２１１に形成された複数の油孔２１１ｈを介して、当該筒状部２１１の外側すなわち摩擦プレート２０１およびセパレータプレート２０２側と連通する。なお、本実施形態では、スリーブ部２７１の遊端部２７１ａが全周にわたって径方向外側に向けて湾曲させられており、当該遊端部２７１ａの内周面は、Ｒ形状を有している。これにより、スリーブ部２７１内にシール部材２４４が装着されたピストン２４０（延出部２４２）を嵌合する際に、シール部材２４４を損傷させてしまうのを良好に抑制することが可能となる。
【００５９】
引き続き、自動変速機２０の動作等について説明する。
【００６０】
上述の自動変速機２０において、前進第１速段、第３速段、第５速段、または第１０速段の形成に伴ってクラッチＣ２が係合されると、ラビニヨ式遊星歯車機構２５の第３サンギヤ２３ｓ（第２出力要素）から出力されるトルクが、クラッチハブ２００、セパレータプレート２０２、摩擦プレート２０１、ドラム部材１２０、連結部材１２５を介して、常時連結された第１遊星歯車２１の第１サンギヤ２１ｓおよび第２遊星歯車２２の第２サンギヤ２２ｓに伝達される。ここで、クラッチＣ２では、ハブ部材２１０の突出部２１４が第３サンギヤ２３ｓと一体に回転するように軸部２３ｓａにきつくスプライン嵌合されるのに対して、環状壁部２１２の内周部２１３は、ハブ部材２１０が支持部材２２０に対して回転しないようにシャフト部２２１に緩くスプライン嵌合（遊嵌）されている。すなわち、内周部２１３のスプライン２１３ｓとシャフト部２２１のスプライン２２１ｓとにより構成される内側スプライン嵌合部ＳＬｉの周方向におけるクリアランスは、突出部２１４のスプライン２１４ｓと第３サンギヤ２３ｓのスプラインとにより構成される外側スプライン嵌合部ＳＬｏの周方向におけるクリアランスよりも大きい。
【００６１】
従って、自動変速機２０のクラッチＣ２では、支持部材２２０、すなわち互いに一体に成形されるシャフト部２２１および係合油室画成部２２２をハブ部材２１０に対して回り止めしつつ、シャフト部２２１および係合油室画成部２２２にハブ部材２１０からトルクが伝達されないようにすることができる。これにより、支持部材２２０、すなわち互いに一体化されたシャフト部２２１および係合油室画成部２２２、ひいてはクラッチハブ２００の全体を小型・軽量化しつつ、耐久性を向上させることが可能となる。
【００６２】
また、外側スプライン嵌合部ＳＬｏは、内側スプライン嵌合部ＳＬｉよりも径方向外側に位置する。従って、突出部２１４と第３サンギヤ２３ｓとの嵌合部である外側スプライン嵌合部ＳＬｏにおけるトルク半径をより大きくすることができるので、突出部２１４の軸長を短縮化してクラッチＣ２の軸長の増加を抑制することが可能となる。更に、環状壁部２１２の内周部２１３と支持部材２２０のシャフト部２２１との嵌合部である内側スプライン嵌合部ＳＬｉを介してトルクが伝達されないことから、内側スプライン嵌合部ＳＬｉすなわち内周部２１３は、支持部材２２０（シャフト部２２１および係合油室画成部２２２）をハブ部材２１０に対して回り止めすることができる程度の軸長を有していればよい。従って、クラッチＣ２では、環状壁部２１２の内周部２１３の軸方向における長さを突出部２１４の軸方向における長さよりも短くすることで、軸長をより短縮化することが可能となる。
【００６３】
そして、自動変速機２０では、前進第３速段、第５速段および第１０速段が形成される際、クラッチＣ２に加えてブレーキＢ１が係合されることによりラビニヨ式遊星歯車機構２５の第４サンギヤ２４ｓ（固定可能要素）が回転不能に固定される（図２参照）。これにより、ラビニヨ式遊星歯車機構２５によって第３サンギヤ２３ｓ（第２出力要素）の回転速度が第３リングギヤ２３ｒ（第１出力要素）の回転速度よりも高くなるように入力軸２０ｉから第３キャリヤ２３ｃ（入力要素）に伝達された動力が増速され、第３サンギヤ２３ｓおよび第３リングギヤ２３ｒに伝達される（図３参照）。これにより、自動変速機２０の作動中、ラビニヨ式遊星歯車機構２５の第３サンギヤ２３ｓ（および第３リングギヤ２３ｒ）は、後進段の形成時を除いて、第３キャリヤ２３ｃすなわち入力軸２０ｉ以上の回転速度で回転する。従って、クラッチＣ２のクラッチハブ２００の小型・軽量化を図ると共に耐久性を向上させることで、入力軸２０ｉや第３リングギヤ２３ｒよりも高速で回転する第３サンギヤ２３ｓおよびそれと一体に回転するクラッチハブ２００の回転時のイナーシャを低減化して自動変速機２０の変速性能を向上させると共に、当該自動変速機２０の耐久性を良好に確保することが可能となる。
【００６４】
また、クラッチＣ２では、ピストン２４０の受圧部２４１に係合油室画成部２２２に向けて突出する複数の突部２４１ｐが形成されており、係合油室画成部２２２には、それぞれ突部２４１ｐと係合する凹部２２２ｒが形成されている。これにより、クラッチＣ２の大型化を抑制しつつ、支持部材２２０、すなわち互いに一体に成形されるシャフト部２２１および係合油室画成部２２２によりピストン２４０をハブ部材２１０に対して回り止めすることができる。従って、ピストン２４０と係合油室画成部２２２との相対回転や、ピストン２４０とハブ部材２１０との相対回転を良好に規制してピストン２４０や係合油室画成部２２２の摩耗を良好に抑制し、クラッチハブ２００の耐久性を向上させることが可能となる。更に、突部２４１ｐをピストン２４０の受圧部２４１に形成することで、受圧部２４１の肉厚の減少を抑制して、ピストン２４０の耐久性を良好に確保することができる。加えて、入力軸２０ｉや第３リングギヤ２３ｒよりも高速で回転する第３サンギヤ２３ｓおよびそれと一体に回転するクラッチハブ２００の構成部材同士の相対回転を良好に規制して耐久性を向上させることで、自動変速機２０の耐久性をより向上させることが可能となる。
【００６５】
更に、クラッチＣ２では、ハブ部材２１０の筒状部２１１および環状壁部２１２とピストン２４０とにより画成される空間がキャンセル室画成部材２７０によって遠心油圧キャンセル室２９０と潤滑油室２７５とに仕切られ、遠心油圧キャンセル室２９０と潤滑油室２７５とは、クラッチハブ２００の支持部材２２０のシャフト部２２１側で互いに連通する。これにより、筒状部２１１の内側に画成される遠心油圧キャンセル室２９０に供給される作動油の一部を潤滑油室２７５に流入させ、筒状部２１１の周囲に配置される摩擦プレート２０１およびセパレータプレート２０２に潤滑・冷却用の作動油を良好に供給することが可能となる。そして、入力軸２０ｉや第３リングギヤ２３ｒよりも高速で回転する第３サンギヤ２３ｓを接続対象要素とするクラッチＣ２の摩擦プレート２０１およびセパレータプレート２０２に潤滑・冷却用の作動油を良好に供給可能とすることで、自動変速機２０の耐久性をより一層向上させることが可能となる。加えて、クラッチＣ２では、ハブ部材２１０の筒状部２１１に長尺の斜め孔を穿設する必要がなくなるので、加工コストの増加やクラッチハブ２００の耐久性低下を良好に抑制することができる。
【００６６】
また、キャンセル室画成部材２７０は、ハブ部材２１０の筒状部２１１内に嵌合されるスリーブ部２７１と、スリーブ部２７１の一端から径方向内側に延出されたフランジ部２７２とを有し、スリーブ部２７１の内周面とピストン２４０の延出部２４２との間には、シール部材２４４が配置される。そして、フランジ部２７２とピストン２４０との間には、複数のリターンスプリングＳＰ２が周方向に並ぶように配設される。これにより、専用の固定部品等を用いることなく、キャンセル室画成部材２７０を複数のリターンスプリングＳＰ２によりハブ部材２１０に押し付けてクラッチハブ２００に対して固定することが可能となる。
【００６７】
更に、ハブ部材２１０の筒状部２１１の遊端部の内周面には、径方向内側に突出すると共にスリーブ部２７１の外周面に当接する環状突部２１１ａが形成され、ハブ部材２１０の環状壁部２１２には、フランジ部２７２に当接する複数の突部２１２ｐがリターンスプリングＳＰ２と対向するように周方向に間隔をおいて形成されている。フランジ部２７２の内周部には、環状壁部２１２に向けて突出して当該環状壁部２１２の表面と当接する複数の当接部２７２ｃが周方向に間隔をおいて形成され、互いに隣り合う当接部２７２ｃの間に、潤滑油室２７５と遠心油圧キャンセル室２９０とを連通させる連通口２７３が形成される。これにより、筒状部２１１の内周面および環状壁部２１２の表面に沿って延びるように潤滑油室２７５を画成すると共に、筒状部２１１の遊端部からの作動油の流出を規制し、かつ潤滑油室２７５を支持部材２２０のシャフト部２２１側で遠心油圧キャンセル室２９０と連通させることが可能となる。
【００６８】
また、クラッチハブ２００（ハブ部材２１０）の突出部２１４は、それぞれ当該突出部２１４の外周面よりも集油部２３ｃａ側に突出する複数の隆起部２１４ｐと、それぞれ径方向外側に向かうにつれて第３キャリヤ２３ｃの集油部２３ｃａに近接するように傾斜すると共に突出部２１４を貫通して隆起部２１４ｐの頂面２１４ｐｓで開口する複数の油孔２１４ｈとを有する。このように突出部２１４に形成された各隆起部２１４ｐの頂面２１４ｐｓで油孔２１４ｈを開口させ、各油孔２１４ｈの第３キャリヤ２３ｃ側の開口を隆起部２１４ｐにより取り囲むことで、第３サンギヤ２３ｓと共にクラッチハブ２００が高速で回転しても、各油孔２１４ｈの開口から流出した油が突出部２１４の外周面を伝ってしまうのを抑制することができる。従って、クラッチハブ２００の突出部２１４に形成された各油孔２１４ｈから第３キャリヤ２３ｃにより支持される複数のピニオンシャフト２６の軸方向油路２６ａ等に潤滑・冷却用の作動油を良好に供給することが可能となる。
【００６９】
更に、第３サンギヤ２３ｓの軸部２３ｓａは、クラッチハブ２００のシャフト部２２１の先端部がインロー嵌合される中心孔部２３ｓｃと、当該中心孔部２３ｓｃの内側と突出部２１４の各油孔２１４ｈとを連通させる油溝２３ｓｇとを有する。これにより、第３サンギヤ２３ｓの中心孔部２３ｓｃに作動油を供給すれば、ハブ部材２１０の突出部２１４の各油孔２１４ｈに当該作動油を供給することが可能となる。また、ハブ部材２１０の環状壁部２１２の内周部２１３は、突出部２１４の内周面（スプライン２１４ｓ）よりも径方向内側で支持部材２２０のシャフト部２２１に遊嵌され、第３サンギヤ２３ｓの軸部２３ｓａの端面と間隔をおいて対向する。これにより、支持部材２２０のシャフト部２２１をハブ部材２１０に対して回り止めしつつ、第３サンギヤ２３ｓの油溝２３ｓｇと突出部２１４の各油孔２１４ｈとを連通させることが可能となる。
【００７０】
図９は、上述の自動変速機２０に適用可能な他のクラッチハブ、ピストンおよび係合油室画成部材を示す断面図である。なお、図９に示す要素のうち、上述のクラッチＣ２に関して説明したものと同一の要素については同一の符号を付し、重複する説明を省略する。
【００７１】
図９に示すクラッチＣ２Ｂでは、クラッチハブ２００Ｂのシャフト部として、当該クラッチＣ２Ｂの接続対象要素である第３サンギヤ２３ｓと一体化された軸部２３ｓａが利用される。ハブ部材（ハブ部）２１０Ｂは、第３サンギヤ２３ｓと一体に回転するように軸部２３ｓａにスプライン嵌合される。上記係合油室画成部２２２に相当する係合油室画成部材２２２Ｂは、軸部２３ｓａとは別体の環状部材として構成されている。係合油室画成部材２２２Ｂは、シャフト部としての軸部２３ｓａに嵌合され、軸部２３ｓａに装着されるスナップリング２２４により当該係合油室画成部材２２２Ｂの軸方向への移動が規制される。
【００７２】
また、ハブ部材２１０Ｂの筒状部２１１および環状壁部２１２と、軸部２３ｓａにより支持されるピストン２４０Ｂとは、遠心油圧キャンセル室２９０Ｂを画成する。更に、環状壁部２１２とピストン２４０Ｂとの間には、複数のリターンスプリングＳＰ２が周方向に並ぶように配設される。各リターンスプリングＳＰ２の一端（図４および図５における左端）は、ハブ部材２１０Ｂの環状壁部２１２に周方向に並ぶように配設された複数のスプリング保持凹部２１２ｒの対応する何れかに嵌合される。また、各リターンスプリングＳＰ２の他端は、ピストン２４０Ｂにより支持されるスプリングシート２４５により保持される。
【００７３】
更に、クラッチＣ２Ｂでは、環状壁部２１２にスプリング保持凹部２１２ｒがリターンスプリングＳＰ２の数よりも多く形成されている。また、ピストン２４０Ｂには、ハブ部材２１０Ｂの環状壁部２１２に向けて突出すると共にリターンスプリングＳＰ２の一端が嵌合されるスプリング保持凹部２１２ｒの何れかと係合する複数（例えば、等間隔に３個）の突部２４１ｐ（第２の突部）が形成されている。なお、スプリングシート２４５には、突部２２２ｐとの干渉を抑制するための切り欠きが形成される。更に、ピストン２４０Ｂの受圧部２４１には、突部２４１ｐの裏側に位置するように複数（例えば、等間隔に３個）の凹部２４１ｒが形成されている。そして、係合油室画成部材２２２Ｂには、それぞれ受圧部２４１の対応する凹部２４１ｒと係合する複数（例えば、等間隔に３個）の突部２２２ｐが形成されている。
【００７４】
このように構成されるクラッチハブ２００、ピストン２４０Ｂ、係合油室画成部材２２２Ｂ等を含むクラッチＣ２Ｂでは、装置全体の大型化を抑制しつつ、ピストン２４０Ｂをハブ部材２１０Ｂに対して回り止めすると共に、ピストン２４０Ｂを介して係合油室画成部材２２２Ｂをハブ部材２１０Ｂに対して回り止めすることができる。従って、ピストン２４０Ｂとハブ部材２１０Ｂとの相対回転や、ピストン２４０Ｂと係合油室画成部材２２２Ｂとの相対回転を良好に規制してピストン２４０Ｂや係合油室画成部材２２２Ｂの摩耗を良好に抑制し、クラッチハブ２００Ｂの耐久性を向上させることが可能となる。なお、クラッチＣ２Ｂにおいて、突部２４１ｐおよびそれと係合するスプリング保持凹部２１２ｒは、それぞれ少なくとも１個設けられればよく、３個以上設けられてもよい。また、係合油室画成部材２２２Ｂに少なくとも１個の凹部が設けられてもよく、ピストン２４０Ｂに当該凹部と係合する突部が設けられてもよい。更に、ピストン２４０Ｂの凹部２４１ｒおよび係合油室画成部材２２２Ｂの突部２２２ｐは、省略されてもよい。
【００７５】
以上説明したように、本発明によるクラッチは、摩擦プレートと、セパレータプレートと、クラッチハブと、前記摩擦プレートおよび前記セパレータプレートを押圧するピストンとを備えるクラッチにおいて、前記クラッチハブは、前記摩擦プレートまたは前記セパレータプレートの内周部が嵌合されるハブ部と、前記ピストンを移動自在に支持する筒状のシャフト部と、係合油圧が供給される係合油室を前記ピストンと共に画成する係合油室画成部とを含み、前記ピストンは、前記係合油圧を受圧する受圧部と、前記受圧部の外周部から軸方向に延出されると共に前記係合油室画成部に摺接する内周面を有する筒状の延出部と、前記延出部の遊端部から径方向外側に延出されたプレート押圧部とを有し、前記ピストンの前記受圧部と前記係合油室画成部との一方は、他方に向けて突出する少なくとも１つの突部を有し、前記受圧部と前記係合油室画成部との他方は、前記突部と係合する凹部を有することを特徴とする。
【００７６】
このクラッチのクラッチハブは、摩擦プレートまたはセパレータプレートの内周部が嵌合されるハブ部と、ピストンを移動自在に支持する筒状のシャフト部と、係合油圧が供給される係合油室をピストンと共に画成する係合油室画成部とを含む。また、ピストンは、係合油圧を受圧する受圧部と、受圧部の外周部から軸方向に延出されると共に係合油室画成部に摺接する内周面を有する筒状の延出部と、延出部の遊端部から径方向外側に延出されたプレート押圧部とを有する。そして、ピストンの受圧部と係合油室画成部との一方は、他方に向けて突出する少なくとも１つの突部を有し、受圧部と係合油室画成部との他方は、突部と係合する凹部を有する。このように、ピストンの受圧部と係合油室画成部とを互いに係合させることで、クラッチの大型化を抑制しつつ、ピストンとクラッチハブを構成する係合油室画成部との相対回転を良好に規制して耐久性を向上させることが可能となる。
【００７７】
また、前記係合油室画成部は、前記シャフト部の一端から径方向外側に延びるように該シャフト部と一体に成形されてもよく、前記ハブ部は、前記クラッチの接続対象要素に一体に回転するようにスプライン嵌合されると共に、前記シャフト部に対して回転しないように該シャフト部に遊嵌されてもよく、前記突部は、前記ピストンの前記受圧部に形成されてもよく、前記凹部は、前記係合油室画成部に形成されてもよい。これにより、互いに一体に成形されるシャフト部および係合油室画成部をハブ部に対して回り止めすると共に、当該シャフト部および係合油室画成部を介してピストンをハブ部に対して回り止めすることができるので、ピストンや係合油室画成部の摩耗を良好に抑制することが可能となる。更に、シャフト部および係合油室画成部にハブ部からトルクが伝達されないようにすることができるので、一体化されたシャフト部および係合油室画成部を小型・軽量化しつつ、その耐久性を良好に確保することが可能となる。また、突部をピストンの受圧部に形成することで、受圧部の肉厚の減少を抑制して、ピストンの耐久性を良好に確保することができる。
【００７８】
更に、前記ハブ部は、前記摩擦プレートまたは前記セパレータプレートが嵌合される筒状部と、前記筒状部の一端から径方向内側に延びるように該筒状部と一体に成形された環状壁部とを有してもよく、前記環状壁部の内周部は、前記シャフト部に遊嵌されてもよく、前記環状壁部は、前記内周部よりも径方向外側で該筒状部とは反対側に突出する筒状の突出部を有してもよく、前記突出部の内周部は、前記接続対象要素にスプライン嵌合されてもよい。これにより、ハブ部すなわち突出部と接続対象要素との嵌合部は、ハブ部すなわち環状壁部の内周部とシャフト部との嵌合部よりも径方向外側に位置することになるので、突出部と接続対象要素との嵌合部におけるトルク半径をより大きくすることができる。従って、突出部の軸長を短縮化してクラッチの軸長の増加を抑制することが可能となる。また、環状壁部の内周部とシャフト部との嵌合部を介してトルクが伝達されないことから、当該内周部は、シャフト部および係合油室画成部をハブ部に対して回り止めすることができる程度の軸長を有していればよい。従って、このクラッチでは、環状壁部の内周部の軸方向における長さを、突出部の軸方向における長さよりも短くすることで、クラッチの軸長をより短縮化することが可能となる。
【００７９】
また、前記シャフト部は、前記接続対象要素と一体化されてもよく、前記ハブ部は、前記接続対象要素と一体に回転するように前記シャフト部にスプライン嵌合されてもよく、前記係合油室画成部は、前記シャフト部に嵌合される環状部材であって、該シャフト部に装着されるスナップリングにより軸方向への移動が規制されてもよく、前記ハブ部と前記ピストンとの間には、複数のリターンスプリングが周方向に並ぶように配設されてもよく、前記ハブ部は、周方向に並ぶように配設されると共に前記リターンスプリングの端部が嵌め込まれる複数のスプリング保持凹部を有してもよく、前記ピストンは、前記ハブ部に向けて突出すると共に前記スプリング保持凹部と係合する少なくとも１つの第２の突部を有してもよく、前記凹部は、前記第２の突部の裏側に位置するように前記ピストンの前記受圧部に形成されてもよく、前記突部は、前記係合油室画成部に形成されてもよい。
【００８０】
本発明による変速装置は、上記何れかのクラッチを含み、入力部材に伝達された動力を変速して出力部材に伝達する変速装置であって、入力要素と、固定可能要素と、第１出力要素および第２出力要素とを有するラビニヨ式遊星歯車機構と、複数の回転要素を有する第１遊星歯車と、複数の回転要素を有し、前記第１遊星歯車よりも前記ラビニヨ式遊星歯車機構に近接して配置される第２遊星歯車と、前記ラビニヨ式遊星歯車機構の前記固定可能要素を静止部材に接続して回転不能に固定すると共に、両者の接続を解除する第１ブレーキと、前記ラビニヨ式遊星歯車機構の前記第１出力要素と、前記第１および第２遊星歯車の回転要素の少なくとも何れか１つとを互いに接続すると共に、両者の接続を解除する第１クラッチと、前記ラビニヨ式遊星歯車機構の前記第２出力要素と、前記第１および第２遊星歯車の回転要素の少なくとも何れか１つとを互いに接続すると共に、両者の接続を解除する第２クラッチとを備え、前記ラビニヨ式遊星歯車機構は、前記固定可能要素が前記第１ブレーキにより回転不能に固定された際に、前記第２出力要素の回転速度が前記第１出力要素の回転速度よりも高くなるように前記入力要素に伝達された動力を増速して前記第１および第２出力要素に伝達し、前記クラッチは、前記第２クラッチであり、該クラッチの接続対象要素は、前記ラビニヨ式遊星歯車機構の前記第２出力要素であることを特徴とする。
【００８１】
この変速装置のラビニヨ式遊星歯車機構は、固定可能要素がブレーキにより回転不能に固定された際に、上記クラッチ（第２クラッチ）の接続対象要素である第２出力要素の回転速度が第１出力要素の回転速度よりも高くなるように入力要素に伝達された動力を増速して第１および第２出力要素に伝達する。従って、上記クラッチの構成部材同士の相対回転を良好に規制して耐久性を向上させることで、変速装置の耐久性をより向上させることが可能となる。
【００８２】
また、前記変速装置は、第３クラッチ、第４クラッチおよび第２ブレーキを更に備えてもよく、前記第１遊星歯車は、第１サンギヤ、第１キャリヤおよび第１リングギヤを有してもよく、前記第２遊星歯車は、第２サンギヤ、第２キャリヤおよび第２リングギヤを有してもよく、前記第１遊星歯車の前記第１サンギヤと前記第２遊星歯車の前記第２サンギヤとは、常時連結されてもよく、前記第１遊星歯車の前記第１キャリヤは、前記入力部材および前記ラビニヨ式遊星歯車機構の前記入力要素に常時連結されてもよく、前記第２遊星歯車の前記第２キャリヤは、前記出力部材に常時連結されてもよく、前記第１クラッチは、前記ラビニヨ式遊星歯車機構の前記第１出力要素と、常時連結された前記第１および第２サンギヤとを互いに接続すると共に、両者の接続を解除してもよく、前記第２クラッチは、前記ラビニヨ式遊星歯車機構の前記第２出力要素と、常時連結された前記第１および第２サンギヤとを互いに接続すると共に、両者の接続を解除してもよく、前記第３クラッチは、前記ラビニヨ式遊星歯車機構の前記第１出力要素と、前記第２遊星歯車の前記第２リングギヤとを互いに接続すると共に、両者の接続を解除してもよく、前記第４クラッチは、前記第１遊星歯車の前記第１リングギヤと前記第２遊星歯車の前記第２キャリヤとを互いに接続すると共に、両者の接続を解除してもよく、前記第２ブレーキは、前記第２遊星歯車の前記第２リングギヤを前記静止部材に接続して回転不能に固定すると共に、両者の接続を解除してもよい。
【００８３】
そして、本発明は上記実施形態に何ら限定されるものではなく、本発明の外延の範囲内において様々な変更をなし得ることはいうまでもない。更に、上記発明を実施するための形態は、あくまで課題を解決するための手段の欄に記載された発明の具体的な一形態に過ぎず、課題を解決するための手段の欄に記載された発明の要素を限定するものではない。
【産業上の利用可能性】
【００８４】
本発明は、クラッチや変速装置の製造産業等において利用可能である。
【符号の説明】
【００８５】
１０  動力伝達装置、１１  トランスミッションケース、１２  発進装置、１３  フロントカバー、１４ｏ  ワンウェイクラッチ、１４ｐ  ポンプインペラ、１４ｓ  ステータ、１４ｔ  タービンランナ、１５  ロックアップクラッチ、１６  ダンパ機構、１７  オイルポンプ、２０  自動変速機、２０ｉ  入力軸、２０ｉｈ  油孔、２０ｍ  中間軸、２０ｏ  出力軸、２１  第１遊星歯車、２１ｃ  第１キャリヤ、２１ｐ  第１ピニオンギヤ、２１ｒ  第１リングギヤ、２１ｓ  第１サンギヤ、２２  第２遊星歯車、２２ｃ  第２キャリヤ、２２ｐ  第２ピニオンギヤ、２２ｒ  第２リングギヤ、２２ｓ  第２サンギヤ、２３ｃ  第３キャリヤ、２３ｃａ  集油部、２３ｃｓ  シャフト支持部、２３ｐ  第３ピニオンギヤ、２３ｒ  第３リングギヤ、２３ｓ  第３サンギヤ、２３ｓａ  軸部、２３ｓｃ  中心孔部、２３ｓｇ  油溝、２４ｐ  第４ピニオンギヤ、２４ｓ  第４サンギヤ、２５  ラビニヨ式遊星歯車機構、２６  ピニオンシャフト、２６ａ  軸方向油路、２６ｂ  径方向油路、１０１  摩擦プレート、１０２  セパレータプレート、１２０  ドラム部材、１２１  筒状部、１２１ａ，１２１ｂ  スプライン、１２２  環状部、１２５  連結部材、１３０  ドラム部材、１３１  ドラム部、１３１ａ  スプライン、１３２  環状壁部、１３５  支持部、１４０  ピストン、１５０  係合油室、１７０  キャンセルプレート、１９０  遠心油圧キャンセル室、２００，２００Ｂ  クラッチハブ、２０１  摩擦プレート、２０２  セパレータプレート、２１０，２１０Ｂ  ハブ部材、２１１  筒状部、２１１ａ  環状突部、２１１ｈ  油孔、２１１ｓ  スプライン、２１２  環状壁部、２１２ｐ  突部、２１２ｒ  スプリング保持凹部、２１３  内周部、２１３ｓ  スプライン、２１４  突出部、２１４ｈ  油孔、２１４ｐ  隆起部、２１４ｐｓ  頂面、２１４ｓ  スプライン、２１６  スナップリング、２１７  スペーサ、２２０  支持部材、２２１  シャフト部、２２１ｓ  スプライン、２２２  係合油室画成部、２２２Ｂ  係合油室画成部材、２２２ｐ  突部、２２２ｒ  凹部、２２３  シール部材、２２４  スナップリング、２４０，２４０Ｂ  ピストン、２４１  受圧部、２４１ｐ  突部、２４１ｒ  凹部、２４２  延出部、２４３  プレート押圧部、２４４  シール部材、２４５  スプリングシート、２５０  係合油室、２７０  キャンセル室画成部材、２７１  スリーブ部、２７１ａ  遊端部、２７２  フランジ部、２７２ｃ  当接部、２７３  連通口、２７５  潤滑油室、２９０，２９０Ｂ  遠心油圧キャンセル室、Ｂ１，Ｂ２  ブレーキ、Ｃ１，Ｃ２，Ｃ２Ｂ，Ｃ３，Ｃ４  クラッチ、ＳＬｉ  内側スプライン嵌合部、ＳＬｏ  外側スプライン嵌合部、ＳＰ１，ＳＰ２  リターンスプリング。
【図１】
0006435855.tif 000002
【図２】
0006435855.tif 000003
【図３】
0006435855.tif 000004
【図４】
0006435855.tif 000005
【図５】
0006435855.tif 000006
【図６】
0006435855.tif 000007
【図７】
0006435855.tif 000008
【図８】
0006435855.tif 000009
【図９】
0006435855.tif 000010